(57)【要約】【課題】前後長を短縮できる、動力伝達ユニットを提供する。【解決手段】コントロールシャフト３１は、モータ収容部２２とダンパ収容部２１との間において、モータ１２，１３の回転軸線方向と直交する上下方向に延び、上端部がユニットケース１１から上側に突出している。パーキングギヤ２５の下側には、パーキングポール３６が設けられており、パーキングポール３６を変位させるパーキングロッド３５がコントロールシャフト３１の下方で変位するように設けられている。【選択図】図２
2018173160.tif 000002
【特許請求の範囲】
【請求項１】
ユニットケースと、
前記ユニットケース内に収容され、回転可能に設けられたパーキングギヤと、
前記パーキングギヤの回転軸線方向と直交する上下方向に延び、上端部が前記ユニットケースから上側に突出したコントロールシャフトと、
前記パーキングギヤの下側に配置され、前記パーキングギヤと係合して前記パーキングギヤの回動を阻止するロック位置と前記パーキングギヤとの係合が解除されるアンロック位置とに変位可能なパーキングポールと、
前記コントロールシャフトに支持されたインナレバーと、
前記インナレバーに接続され、前記インナレバーの回動に伴って前記コントロールシャフトの下方で変位するよう設けられ、その変位により前記パーキングポールを前記アンロック位置から前記ロック位置に変位させるパーキングロッドとを含む、動力伝達ユニット。
【発明の詳細な説明】
【技術分野】
【０００１】
本発明は、車両に搭載される動力伝達ユニットに関する。
【背景技術】
【０００２】
従来、エンジンおよびモータを走行用の駆動源として搭載したハイブリッド車（ＨＶ：Hybrid Vehicle）が知られている。ハイブリッド車では、たとえば、エンジンの駆動力およびモータの駆動力が変速機に入力されて変速され、変速後の駆動力がディファレンシャルギヤに伝達されて、デファレンシャルギヤから左右のドライブシャフトを介してそれぞれ左右の駆動輪に伝達される。
【０００３】
ハイブリッド車を構成するトランスアクスルとして、２個のモータを遊星歯車機構およびデファレンシャルギヤとともにケース内に収容したユニットがある。このユニットでは、コントロールシャフトが車両の前後方向に延びて設けられ、コントロールシャフトの一端部がケースから車両の前側に引き出されている。ケースの外部に配置されたコントロールシャフトの一端部には、コントロールシャフトを回動させる操作力が入力される。コントロールシャフトの回動により、パーキングギヤの固定／解除が切り替わる。
【先行技術文献】
【特許文献】
【０００４】
【特許文献１】特開２００７−３１３９７２号公報
【発明の概要】
【発明が解決しようとする課題】
【０００５】
しかしながら、かかる構成のトランスアクスルは、ケースの前側にコントロールシャフトに操作力を入力する部材を配置しなければならないため、軽自動車や小型車など、エンジンコンパートメントの前後長に制約がある車両には不向きである。そのため、軽自動車や小型車などにモータを内蔵したトランスアクスルを搭載するには、トランスアクスルを設計し直さなければならず、ケースを内外に貫通して設けられるコントロールシャフトの配置には相当な工夫が必要である。また、モータを内蔵していないトランスアクスルにおいても、コントロールシャフトの配置の工夫により前後長の短縮を図ることは望ましいことである。
【０００６】
本発明の目的は、前後長を短縮できる、動力伝達ユニットを提供することである。
【課題を解決するための手段】
【０００７】
前記の目的を達成するため、本発明に係る動力伝達ユニットは、ユニットケースと、ユニットケース内に収容され、回転可能に設けられたパーキングギヤと、パーキングギヤの回転軸線方向と直交する上下方向に延び、上端部がユニットケースから上側に突出したコントロールシャフトと、パーキングギヤの下側に配置され、パーキングギヤと係合してパーキングギヤの回動を阻止するロック位置とパーキングギヤとの係合が解除されるアンロック位置とに変位可能なパーキングポールと、コントロールシャフトに支持されたインナレバーと、インナレバーに接続され、インナレバーの回動に伴ってコントロールシャフトの下方で変位するよう設けられ、その変位によりパーキングポールをアンロック位置からロック位置に変位させるパーキングロッドとを含む。
【０００８】
この構成によれば、コントロールシャフトが上下方向に延び、コントロールシャフトの上端部がユニットケースから上側に突出している。これにより、ユニットケースの上側に、アウタレバーやニュートラルスタートスイッチ、シフト・バイ・ワイヤ用のアクチュエータなどを配置することができる。そのため、それらの部材を動力伝達ユニットの前後に配置しなくてすむ。その結果、動力伝達ユニットの前後長を短縮することができる。
【０００９】
また、パーキングロッドがコントロールシャフトの下方で変位するように設けられている。そのため、コントロールシャフトの周囲にパーキングロッドが変位するための空間を設けなくてすむ。
【００１０】
さらに、パーキングロッドとコントロールシャフトとの干渉を考慮する必要がないので、パーキングロッドの設計の自由度が向上し、設計にかかる手間が省かれることによる開発コストの低減を図ることができる。
【００１１】
また、ユニットケース内にモータを収容する動力伝達ユニットでは、コントロールシャフトが車両の前後方向に延びていると前後長が長くなるので、コントロールシャフトが上下方向に延びるように配置される構成がとくに有用である。
【発明の効果】
【００１２】
本発明によれば、動力伝達ユニットの前後長を短縮することができる。その結果、エンジンコンパートメントの前後長の短縮を図ることができ、車室内の空間を広く確保することができる。
【図面の簡単な説明】
【００１３】
【図１】本発明の一実施形態に係る動力伝達ユニットの斜視図である。
【図２】図１に示される切断面線Ａ−Ａにおける動力伝達ユニットの断面図である。
【発明を実施するための形態】
【００１４】
以下では、本発明の実施の形態について、添付図面を参照しつつ詳細に説明する。
【００１５】
＜動力伝達ユニットの構成＞
図１は、本発明の一実施形態に係る動力伝達ユニット１の斜視図である。図２は、図１に示される切断面線Ａ−Ａにおける動力伝達ユニット１の断面図である。図２では、一部の構成が図解的に示されている。
【００１６】
動力伝達ユニット１は、エンジンとともに車両に搭載されて、いわゆるハイブリッドシステムを構成する。動力伝達ユニット１は、その外殻をなすユニットケース１１内に、図２に示されるように、２個のモータ１２，１３、デファレンシャルギヤ１４およびギヤ機構１５を備えている。
【００１７】
ユニットケース１１は、図１に示されるように、エンジンからの振動を減衰するダンパが収容されるダンパ収容部２１と、２個のモータ１２，１３が収容されるモータ収容部２２とを有している。ダンパ収容部２１は、ユニットケース１１のエンジン側の端部に形成され、モータ収容部２２は、ユニットケース１１のエンジン側と反対側の端部に形成されている。モータ収容部２２は、ダンパ収容部２１よりも上下方向の寸法が大きく、その上端部がダンパ収容部２１の上端よりも上側に膨出している。そのため、ダンパ収容部２１の上端とモータ収容部２２の上端との間に段差が生じており、ギヤ機構１５は、その段差部分２３の内側に配置されている。
【００１８】
ギヤ機構１５は、モータ１２の駆動力が入力されるサンギヤおよびエンジンの駆動力が入力されるキャリアを含む遊星歯車機構を含み、この遊星歯車機構のリングギヤ２４には、図１に示されるように、パーキングギヤ２５が一体に形成されている。また、ギヤ機構１５には、リングギヤ２４およびモータ１３の回転軸に相対回転不能に取り付けられたモータギヤが噛合する大径ギヤ２６とデファレンシャルギヤ１４が噛合する小径ギヤ２７とを一体に有する二段ギヤ２８が含まれる。
【００１９】
なお、本実施形態では、パーキングギヤ２５が遊星歯車機構のリングギヤ２４と一体に形成されているが、ギヤ機構１５に含まれる回転軸やギヤのいずれかにその機能を発揮できるように設けられていればよい。
【００２０】
また、ユニットケース１１には、段差部分２３において、コントロールシャフト３１が上下方向に挿入されている。コントロールシャフト３１の上端部は、ユニットケース１１の上側に突出しており、その上端部には、コントロールシャフト３１を回動させる操作力が入力されるアウタレバー３２が取り付けられている。アウタレバー３２には、コントロールケーブルから操作力が入力されてもよいし、シフト・バイ・ワイヤ用のアクチュエータから操作力が入力されてもよい。
【００２１】
コントロールシャフト３１の下端部は、ユニットケース１１に固定的に設けられた支持部３３に回転可能に支持されている。コントロールシャフト３１には、支持部３３よりも上側の位置において、インナレバー３４（ディテントプレート）の基端部が相対回転不能に取り付けられている。
【００２２】
インナレバー３４は、コントロールシャフト３１から回転径方向に延びている。インナレバー３４の先端部には、パーキングロッド３５の一端部が回転可能に挿通されている。パーキングロッド３５は、インナレバー３４から下側に延び、コントロールシャフト３１の下側の位置に向けて屈曲して延びている。
【００２３】
また、パーキングギヤ２５の下側には、パーキングポール３６が設けられている。パーキングポール３６は、パーキングギヤ２５の回転軸線と平行に延びる揺動軸３７に揺動可能に支持されて、先端部に形成された係合爪３８がパーキングギヤ２５の歯３９と係合するロック位置と、その係合が解除されるアンロック位置とに変位可能に構成されている。パーキングポール３６は、ねじりコイルばね４１の弾性力により、アンロック位置に向けて付勢されている。
【００２４】
パーキングポール３６には、コントロールシャフト３１の下側に向けて延びるアーム４２が形成されている。アーム４２の先端部は、コントロールシャフト３１の下側の位置において、パーキングロッド３５に上側から当接している。
【００２５】
コントロールシャフト３１の回動により、インナレバー３４が回動すると、パーキングロッド３５が変位する。パーキングロッド３５には、コントロールシャフト３１の下側を延びる部分にカム部４３が形成されている。パーキングロッド３５の変位により、カム部４３がパーキングポール３６のアーム４２に当接した後、パーキングロッド３５がさらに変位すると、カム部４３によりアーム４２が持ち上げられる。これにより、パーキングポール３６がアンロック位置からロック位置に変位し、パーキングポール３６の係合爪３８がパーキングギヤ２５の歯３９と係合することにより、パーキングギヤ２５の回転が規制（パーキングロック）される。コントロールシャフト３１が逆方向に回動すると、係合時と逆の動きにより、パーキングポール３６の係合爪３８とパーキングギヤ２５の歯３９との係合が解除されて、パーキングギヤ２５の回転が許容される。
【００２６】
＜作用効果＞
以上のように、コントロールシャフト３１は、モータ収容部２２とダンパ収容部２１との間において、モータ１２，１３の回転軸線方向と直交する上下方向に延び、上端部がユニットケース１１から上側に突出している。これにより、ユニットケースの上側に、アウタレバーやニュートラルスタートスイッチ、シフト・バイ・ワイヤ用のアクチュエータなどを配置することができる。そのため、それらの部材を動力伝達ユニット１の前後に配置しなくてすむ。その結果、動力伝達ユニット１の前後長を短縮することができる。
【００２７】
しかも、モータ収容部２２は、ダンパ収容部２１よりも上下方向の寸法が大きく、その上端部がダンパ収容部２１の上端よりも上側に膨出している。そのため、ダンパ収容部２１の上端とモータ収容部２２の上端との間に段差部分２３が生じている。その段差部分２３でコントロールシャフト３１の上端部がユニットケース１１から上側に突出していることにより、段差部分２３に生じる空間を有効に利用して、その空間にアウタレバーやニュートラルスタートスイッチ、シフト・バイ・ワイヤ用のアクチュエータなどを配置することができる。
【００２８】
パーキングロッド３５がコントロールシャフト３１の下方で変位するように設けられている。そのため、コントロールシャフト３１の周囲にパーキングロッド３５が変位するための空間を設けなくてすむ。
【００２９】
また、パーキングロッド３５とコントロールシャフト３１との干渉を考慮する必要がないので、パーキングロッド３５の設計の自由度が向上し、設計にかかる手間が省かれることによる開発コストの低減を図ることができる。
【００３０】
＜変形例＞
以上、本発明の一実施形態について説明したが、本発明は、他の形態で実施することもできる。
【００３１】
たとえば、前述の実施形態では、動力伝達ユニット１に２個のモータ１２，１３が備えられた構成を取り上げたが、本発明は、１個のモータを備える動力伝達ユニットにも適用可能である。
【００３２】
本発明は、有段式の自動変速機および無段変速機にも適用することが可能である。
【００３３】
また、本発明は、デファレンシャルギヤ１４を備えていない動力伝達ユニットにも適用することができる。
【００３４】
その他、前述の構成には、特許請求の範囲に記載された事項の範囲で種々の設計変更を施すことが可能である。
【符号の説明】
【００３５】
１：動力伝達ユニット
１１：ユニットケース
１２，１３：モータ
２５：パーキングギヤ
３１：コントロールシャフト
３４：インナレバー
３５：パーキングロッド
３６：パーキングポール
【図１】
2018173160.tif 000003
【図２】
2018173160.tif 000004